(57)【特許請求の範囲】
【請求項１】
無線基地局装置からの複数の基本周波数ブロックの下りリンク共有チャネル信号を復調するデータ情報復調部と、
前記複数の基本周波数ブロック毎の前記下りリンク共有チャネル信号に対して再送確認して再送応答信号を出力する再送確認部と、
前記無線基地局装置からの下りリンク制御情報を復調してトランスポートブロック数を検出する制御情報復調部と、
複数の無線リソースと位相変調のビット情報を用いて前記複数の基本周波数ブロックの下りリンク共有チャネル信号に対する再送応答信号の組み合わせが規定されたマッピングテーブルを参照して、特定の基本周波数ブロックの上りリンク制御チャネルの無線リソースから前記再送応答信号の送信に利用する無線リソースを決定するチャネル選択制御部と、を有し、
前記チャネル選択制御部は、前記特定の基本周波数ブロックのトランスポートブロック数に応じて、前記マッピングテーブルの内容を所定の部分を選択することにより変更して適用することを特徴とするユーザ端末。
【請求項２】
前記チャネル選択制御部は、前記特定の基本周波数ブロックのトランスポートブロック数が下がった場合に、前記マッピングテーブルに設定する無線リソース数を低減するように前記マッピングテーブルの内容を変更することを特徴とする請求項１に記載のユーザ端末。
【請求項３】
前記チャネル選択制御部は、各基本周波数ブロックの下りリンク共有チャネルを利用して指定される前記特定の基本周波数ブロックの上りリンク制御チャネルの無線リソースを、前記マッピングテーブルで用いる無線リソースとして指定することを特徴とする請求項２に記載のユーザ端末。
【請求項４】
前記チャネル選択制御部は、前記特定の基本周波数ブロックの下りリンク共有チャネルのＣＣＥインデックスを用いて指定された無線リソースを、前記マッピングテーブルで用いる複数の無線リソースの少なくとも一つとして指定することを特徴とする請求項３に記載のユーザ端末。
【請求項５】
前記チャネル選択制御部は、前記特定の基本周波数ブロック以外の他の基本周波数ブロックの下りリンク共有チャネルに設けられたＡＲＩフィールドで指定された無線リソースを、前記マッピングテーブルの複数の無線リソースの少なくとも一つとして指定することを特徴とする請求項４に記載のユーザ端末。
【請求項６】
前記複数の基本周波数ブロックが、ＰＣＣ（Primary  Component  Carrier）及びＳＣＣ（Secondly  Component  Carrier）で構成され、前記ＰＣＣのトランスポートブロック数が１である場合に、前記チャネル選択制御部は、前記ＰＣＣのトランスポートブロック数が２の場合に適用するマッピングテーブルから所定の部分を選択した内容のマッピングテーブルを適用することを特徴とする請求項５に記載のユーザ端末。
【請求項７】
前記マッピングテーブルの内容の変更は、前記ＰＣＣのトランスポートブロック数が２の場合に適用するマッピングテーブルから無線リソース数を１つ低減することを特徴とする請求項６に記載のユーザ端末。
【請求項８】
前記チャネル選択制御部は、前記ＳＣＣがＤＴＸの場合に、変更後のマッピングテーブルがＦｏｒｍａｔ  １ａ又はＦｏｒｍａｔ  １ｂをサポートするようにマッピングテーブルの内容を変更することを特徴とする請求項７に記載のユーザ端末。
【請求項９】
複数の基本周波数ブロック毎の下りリンク共有チャネル信号を生成するデータ情報生成部と、
ユーザ端末との送信に適用するトランスポートブロック数を決定するトランスポートブロック数決定部と、
複数の無線リソースと位相変調のビット情報で前記複数の基本周波数ブロックの下りリンク共有チャネル信号に対する再送応答信号の組み合わせが規定されたマッピングテーブルを参照して、前記ユーザ端末から通知された再送応答信号を検出するチャネル選択データ検出部と、を有し、
前記チャネル選択データ検出部は、前記トランスポートブロック数決定部で決定されたトランスポートブロック数に基づいて、前記マッピングテーブルの内容を所定の部分を選択することにより特定することを特徴とする無線基地局装置。
【請求項１０】
複数の基本周波数ブロックで構成されるシステム帯域で無線通信を行う無線通信方法であって、
ユーザ端末において、無線基地局装置からの複数の基本周波数ブロックの下りリンク共有チャネル信号を復調するステップと、前記複数の基本周波数ブロック毎の前記下りリンク共有チャネル信号に対して再送確認して再送応答信号を出力するステップと、前記無線基地局装置からの下りリンク制御情報を復調してトランスポートブロック数を検出するステップと、複数の無線リソースと位相変調のビット情報を用いて前記複数の基本周波数ブロックの下りリンク共有チャネル信号に対する再送応答信号の組み合わせが規定されたマッピングテーブルを参照して、特定の基本周波数ブロックの上りリンク制御チャネルの無線リソースから前記再送応答信号の送信に利用する無線リソースを決定するステップと、を有し、
前記ユーザ端末は、前記特定の基本周波数ブロックのトランスポートブロック数に応じて、前記マッピングテーブルの内容を所定の部分を選択することにより変更して適用することを特徴とする無線通信方法。
【請求項１１】
前記ユーザ端末は、前記特定の基本周波数ブロックのトランスポートブロック数が下がった場合に、前記マッピングテーブルに設定する無線リソース数を低減するように前記マッピングテーブルの内容を変更することを特徴とする請求項１０に記載の無線通信方法。
【請求項１２】
前記複数の基本周波数ブロックが、ＰＣＣ（Primary  Component  Carrier）及びＳＣＣ（Secondly  Component  Carrier）で構成され、前記ＰＣＣのトランスポートブロック数が１である場合に、前記ユーザ端末は、前記ＰＣＣのトランスポートブロック数が２の場合に適用するマッピングテーブルから所定の部分を選択した内容のマッピングテーブルを適用することを特徴とする請求項１１に記載の無線通信方法。
【請求項１３】
前記マッピングテーブルの内容の変更は、前記ＰＣＣのトランスポートブロック数が２の場合に適用するマッピングテーブルから無線リソース数を１つ低減することを特徴とする請求項１２に記載の無線通信方法。
【請求項１４】
前記ユーザ端末は、前記ＳＣＣがＤＴＸの場合に、変更後のマッピングテーブルがＦｏｒｍａｔ  １ａ又はＦｏｒｍａｔ  １ｂをサポートするようにマッピングテーブルの内容を変更することを特徴とする請求項１３に記載の無線通信方法。
【請求項１５】
複数の基本周波数ブロックで構成されるシステム帯域で無線通信を行う無線通信方法であって、
無線基地局装置において、複数の基本周波数ブロック毎の下りリンク共有チャネル信号を生成するステップと、ユーザ端末との送信に適用するトランスポートブロック数を決定するステップと、複数の無線リソースと位相変調のビット情報で前記複数の基本周波数ブロックの下りリンク共有チャネル信号に対する再送応答信号の組み合わせが規定されたマッピングテーブルを参照して、前記ユーザ端末から通知された再送応答信号を検出するステップと、を有し、
前記無線基地局装置は、前記トランスポートブロック数に基づいて、前記マッピングテーブルの内容を所定の部分を選択することにより特定することを特徴とする無線通信方法。
【発明の詳細な説明】
【技術分野】
【０００１】
本発明は、次世代移動通信システムにおけるユーザ端末、無線基地局装置及び無線通信方法に関する。
【背景技術】
【０００２】
ＵＭＴＳ（Universal  Mobile  Telecommunications  System）ネットワークにおいては、周波数利用効率及びピークデータレートの向上などを目的として、ＨＳＤＰＡ（High  Speed  Downlink  Packet  Access）やＨＳＵＰＡ（High  Speed  Uplink  Packet  Access）を採用することにより、Ｗ−ＣＤＭＡ（Wideband  Code  Division  Multiple  Access）をベースとしたシステムの特徴を最大限に引き出すことが行われている。このＵＭＴＳネットワークについては、更なる周波数利用効率及びピークデータレートの向上、遅延の低減などを目的としてロングタームエボリューション（ＬＴＥ:Long  Term  Evolution）が検討されている（非特許文献１）。
【０００３】
ＬＴＥではＷ−ＣＤＭＡとは異なり、マルチアクセス方式として、下り回線（下りリンク）にＯＦＤＭＡ（Orthogonal  Frequency  Division  Multiple  Access）をベースとした方式を用い、上り回線（上りリンク）にＳＣ−ＦＤＭＡ（Single  Carrier  Frequency  Division  Multiple  Access）をベースとした方式を用いている。
【０００４】
上りリンクで送信される信号は、図１に示すように、適切な無線リソースにマッピングされてユーザ端末（ＵＥ（User  Equipment）＃１，ＵＥ＃２）から無線基地局装置に送信される。この場合、ユーザデータは、上りリンク共有チャネル（ＰＵＳＣＨ：Physical  Uplink  Shared  Channel）に割り当てられる。また、制御情報は、ユーザデータと同時に送信する場合にはＰＵＳＣＨと多重され、制御情報のみを送信する場合には上りリンク制御チャネル（ＰＵＣＣＨ：Physical  Uplink  Control  Channel）に割り当てられる。
【０００５】
上りリンクで送信される制御情報には、下りリンクの品質情報（ＣＱＩ:Channel  Quality  Indicator）や、下りリンク共有チャネル（ＰＤＳＣＨ：Physical  Downlink  Shared  Channel））信号に対する再送応答信号（ＡＣＫ／ＮＡＣＫ）等が含まれる。
【０００６】
第３世代のシステム（Ｗ−ＣＭＤＡ）は、概して５ＭＨｚの固定帯域を用いて、下り回線で最大２Ｍｂｐｓ程度の伝送レートを実現できる。一方、ＬＴＥのシステムでは、１．４ＭＨｚ〜２０ＭＨｚの可変帯域を用いて、下り回線で最大３００Ｍｂｐｓ及び上り回線で７５Ｍｂｐｓ程度の伝送レートを実現できる。また、ＵＭＴＳネットワークにおいては、更なる周波数利用効率及びピークデータレートの向上などを目的として、ＬＴＥの後継のシステムも検討されている（例えば、「ＬＴＥアドバンスト」又は「ＬＴＥエンハンスメント」と呼ぶこともある（以下、「ＬＴＥ−Ａ」という））。
【先行技術文献】
【非特許文献】
【０００７】
【非特許文献１】3GPP,  TR25.912  (V7.1.0),  "Feasibility  study  for  Evolved  UTRA  and  UTRAN",  Sept.  2006
【発明の概要】
【発明が解決しようとする課題】
【０００８】
ＬＴＥ−Ａシステムでは、更なる周波数利用効率及びピークスループットなどの向上を目標とし、ＬＴＥよりも広帯域な周波数の割当てが検討されている。一方で、ＬＴＥ−Ａシステム（例えば、Ｒｅｌ．１０）では、ＬＴＥシステムとの後方互換性（Backward  compatibility）を持つことが一つの要求条件となっている。そのため、ＬＴＥ−Ａシステムでは、ＬＴＥシステムが使用可能な帯域幅を有する基本周波数ブロック（コンポーネントキャリア(ＣＣ:Component  carrier）)を複数有するシステム帯域の採用（キャリアアグリゲーション）が検討されている。
【０００９】
この場合、ＬＴＥ−Ａシステムにおいて、複数の下りＣＣで送信したデータチャネルに対するフィードバック制御情報は、単純にはＣＣ数倍に増大することとなる。また、ＬＴＥ−Ａシステムでは、ＬＴＥシステムよりも多い送受信アンテナを用いたＭＩＭＯ（Multiple  Input  Multiple  Output）技術等が検討されており、フィードバック制御情報の増大が予想される。
【００１０】
特に、ＬＴＥ−Ａシステムの上りリンクにおいては、無線アクセス方式として、ＳＣ−ＦＤＭＡの適用が検討されている。このため、複数の下りＣＣで送信されたＰＤＣＣＨ信号に対するフィードバック制御情報（ＣＱＩ、ＡＣＫ／ＮＡＣＫ等）においても、上りシングルキャリア送信の特性を維持するために単一のＣＣから選択的に送信することが検討されている。この場合、上りリンク伝送において、単一のＣＣからビット数が大きいフィードバック制御情報を送信することとなるため、フィードバック制御情報の送信を適切に制御することが必要となる。
【００１１】
本発明はかかる点に鑑みてなされたものであり、複数の基本周波数ブロックで構成されるシステム帯域において、上りリンク伝送におけるフィードバック制御情報を適切に制御することができるユーザ端末、無線基地局装置及び無線通信方法を提供することを目的とする。
【課題を解決するための手段】
【００１２】
本発明のユーザ端末は、無線基地局装置からの複数の基本周波数ブロックの下りリンク共有チャネル信号を復調するデータ情報復調部と、前記複数の基本周波数ブロック毎の前記下りリンク共有チャネル信号に対して再送確認して再送応答信号を出力する再送確認部と、前記無線基地局装置からの下りリンク制御情報を復調してトランスポートブロック数を検出する制御情報復調部と、複数の無線リソースと位相変調のビット情報を用いて前記複数の基本周波数ブロックの下りリンク共有チャネル信号に対する再送応答信号の組み合わせが規定されたマッピングテーブルを参照して、特定の基本周波数ブロックの上りリンク制御チャネルの無線リソースから前記再送応答信号の送信に利用する無線リソースを決定するチャネル選択制御部と、を有し、前記チャネル選択制御部は、前記特定の基本周波数ブロックのトランスポートブロック数に応じて、前記マッピングテーブルの内容を所定の部分を選択することにより変更して適用することを特徴とする。
【００１３】
この構成によれば、ランクアダプテーションの適用により、特定の基本周波数ブロックのトランスポート数（コードワード数）が下がる場合であっても、適切なマッピングテーブルを選択することが可能となり、上りリンク伝送におけるフィードバック制御情報を適切に制御することができる。
【００１４】
本発明の無線基地局装置は、複数の基本周波数ブロック毎の下りリンク共有チャネル信号を生成するデータ情報生成部と、ユーザ端末との送信に適用するトランスポートブロック数を決定するトランスポートブロック数決定部と、複数の無線リソースと位相変調のビット情報で前記複数の基本周波数ブロックの下りリンク共有チャネル信号に対する再送応答信号の組み合わせが規定されたマッピングテーブルを参照して、前記ユーザ端末から通知された再送応答信号を検出するチャネル選択データ検出部と、を有し、前記チャネル選択データ検出部は、前記トランスポートブロック数決定部で決定されたトランスポートブロック数に基づいて、前記マッピングテーブルの内容を所定の部分を選択することにより特定することを特徴とする。
【００１５】
本発明の無線通信方法は、複数の基本周波数ブロックで構成されるシステム帯域で無線通信を行う無線通信方法であって、ユーザ端末において、無線基地局装置からの複数の基本周波数ブロックの下りリンク共有チャネル信号を復調するステップと、前記複数の基本周波数ブロック毎の前記下りリンク共有チャネル信号に対して再送確認して再送応答信号を出力するステップと、前記無線基地局装置からの下りリンク制御情報を復調してトランスポートブロック数を検出するステップと、複数の無線リソースと位相変調のビット情報を用いて前記複数の基本周波数ブロックの下りリンク共有チャネル信号に対する再送応答信号の組み合わせが規定されたマッピングテーブルを参照して、特定の基本周波数ブロックの上りリンク制御チャネルの無線リソースから前記再送応答信号の送信に利用する無線リソースを決定するステップと、を有し、前記ユーザ端末は、前記特定の基本周波数ブロックのトランスポートブロック数に応じて、前記マッピングテーブルの内容を所定の部分を選択することにより変更して適用することを特徴とする。また、本発明の無線通信方法は、複数の基本周波数ブロックで構成されるシステム帯域で無線通信を行う無線通信方法であって、無線基地局装置において、複数の基本周波数ブロック毎の下りリンク共有チャネル信号を生成するステップと、ユーザ端末との送信に適用するトランスポートブロック数を決定するステップと、複数の無線リソースと位相変調のビット情報で前記複数の基本周波数ブロックの下りリンク共有チャネル信号に対する再送応答信号の組み合わせが規定されたマッピングテーブルを参照して、前記ユーザ端末から通知された再送応答信号を検出するステップと、を有し、前記無線基地局装置は、前記トランスポートブロック数に基づいて、前記マッピングテーブルの内容を所定の部分を選択することにより特定することを特徴とする。
【発明の効果】
【００１６】
本発明によれば、上りリンク伝送においてフィードバック制御情報を適切に伝送することができる。
【図面の簡単な説明】
【００１７】
【図１】上りリンクの信号をマッピングするチャネル構成を説明するための図である。
【図２】ＬＴＥ（Ｒｅｌ．８）システムにおける再送応答信号のための無線リソースを説明するための模式図である。
【図３】ＬＴＥ（Ｒｅｌ．８）のＦｏｒｍａｔ  １ａ／１ｂで規定された再送応答信号のマッピングテーブルを示す図である。
【図４】再送応答信号の送信に適用するマッピングテーブルの一例を示す図である。
【図５】再送応答信号の送信に適用するマッピングテーブルの一例を示す図である。
【図６】ランクアダプテーション時に再送応答信号の送信に適用するマッピングテーブルの一例を示す図である。
【図７】本実施の形態に係る再送応答信号の送信に適用するマッピングテーブルの一例を示す図である。
【図８】本実施の形態に係る再送応答信号の送信に適用するマッピングテーブルの一例を示す図である。
【図９】本実施の形態に係る再送応答信号の送信に適用するマッピングテーブルの一例を示す図である。
【図１０】本実施の形態に係る再送応答信号の送信に適用するマッピングテーブルの一例を示す図である。
【図１１】本実施の形態に係る再送応答信号の送信に適用するマッピングテーブルの一例を示す図である。
【図１２】本実施の形態に係る再送応答信号の送信に適用するマッピングテーブルの一例を示す図である。
【図１３】本実施の形態に係る再送応答信号の送信に適用するマッピングテーブルの一例を示す図である。
【図１４】本実施の形態に係るユーザ端末及び無線基地局装置を有する移動通信システムの構成を説明するための図である。
【図１５】本発明の実施の形態に係るユーザ端末の概略構成を示す図である。
【図１６】本発明の実施の形態に係る無線基地局装置の概略構成を示す図である。
【発明を実施するための形態】
【００１８】
上述したように、下りＣＣの下りリンク共有チャネル（ＰＤＳＣＨ）の信号に対しては、そのフィードバック制御情報である再送応答信号（ＡＣＫ／ＮＡＣＫ）が上りリンク制御チャネル（ＰＵＣＣＨ）で送信される。再送応答信号は、送信信号が適切に受信されたことを示す肯定応答（ＡＣＫ:Acknowledgement）又はそれが適切に受信されなかったことを示す否定応答（ＮＡＣＫ：Negative  Acknowledgement）で表現される。
【００１９】
無線基地局装置は、ＡＣＫによりＰＤＳＣＨ信号の送信成功を検知し、ＮＡＣＫによりＰＤＳＣＨ信号に誤りが検出されたことを検知する。また、無線基地局装置は、上りリンクにおいて再送応答信号に割り当てた無線リソースでの受信電力が所定値以下である場合にＤＴＸ（Discontinuous  Transmission）であると判定することができる。
【００２０】
ＤＴＸは、「ＡＣＫもＮＡＣＫもユーザ端末から通知されなかった」という判定結果であり、これはユーザ端末が下りリンク制御チャネル（ＰＤＣＣＨ）信号を受信できなかったことを意味する。この場合、ユーザ端末は、自局宛にＰＤＳＣＨ信号が送信されたことを検知しないため、結果としてＡＣＫもＮＡＣＫも送信しないことになる。無線基地局装置は、ＡＣＫを受信すると次の新規データを送信するが、ＮＡＣＫや、応答がないＤＴＸ状態の場合は、送信したデータの再送を行うように再送制御を行なう。
【００２１】
ユーザ端末は、フィードバック制御情報の送信に用いる上りリンク制御チャネル（ＰＵＣＣＨ）の無線リソースを、上位レイヤからのＲＲＣシグナリングによって設定されたパタメータと、ＰＤＣＣＨの制御チャネル要素（ＣＣＥ：Control  Channel  element）番号（ＣＣＥインデックス）から求めることができる（図２参照）。例えば、ＰＵＣＣＨの無線リソースとしては、ＯＣＣ（Orthogonal  Cover  Code）、ＣＳ（Cyclic  Shift）やＲＢ（Resource  Block）インデックスが用いられる。このように求めたＰＵＣＣＨの所定の無線リソースに対して、フィードバック制御情報が多重され、無線基地局装置に送信される。
【００２２】
ＬＴＥ（Ｒｅｌ．８）では、図３に示すように、下りリンク共有チャネル(ＰＤＳＣＨ)信号に対するＡＣＫ／ＮＡＣＫの通知フォーマットが規定されている（Ｆｏｒｍａｔ  １ａ／１ｂ)。
【００２３】
１コードワード（１ＣＷ）伝送（１トランスポートブロック数（１ＴＢ））の場合は、“ＡＣＫ”、“ＮＡＣＫ”、“ＤＴＸ”の３状態が規定され（図３Ａ参照）、２コードワード（２ＣＷ）伝送（２トランスポートブロック数（２ＴＢ））の場合は“ＡＣＫ、ＡＣＫ”、“ＡＣＫ、ＮＡＣＫ”、“ＮＡＣＫ、ＡＣＫ”、“ＮＡＣＫ、ＮＡＣＫ”、“ＤＴＸ”の５状態が規定されている（図３Ｂ参照）。なお、以下の説明において、“ＡＣＫ”を“Ａ”、“ＮＡＣＫ”を“Ｎ”、“ＤＴＸ”を“Ｄ”とも表記する。
【００２４】
コードワード（ＣＷ）は、チャネル符号化（誤り訂正符号化）の符号化単位を指しており、ＭＩＭＯ多重伝送適用時は１又は複数コードワードの伝送を行う。ＬＴＥではシングルユーザＭＩＭＯでは最大２コードワードを用いる。２レイヤ送信の場合は、各レイヤが独立したコードワードとなり、４レイヤ送信の場合は２レイヤ毎に１コードワードとなる。
【００２５】
図３のマッピングテーブルにおいて、“０”は当該サブフレームで、ユーザ端末が無線基地局装置に対して情報を送信しないことを示し、“１”、“−１”、“ｊ”、“−ｊ”はそれぞれ特定の位相状態を表している。例えば、図３Ａにおいて、“１”、“−１”はそれぞれ「０」、「１」に相当し、１ビットの情報を表すことができる。また、図３Ｂにおいて、“１”、“−１”、“ｊ”、“−ｊ”は、それぞれ「００」、「１１」、「１０」、「０１」のデータに相当し、２ビットの情報を表すことができる。したがって、Ｆｏｒｍａｔ  １ａ／１ｂにおいては、最大２ビットまでの送信が可能となっている。
【００２６】
一方、ＬＴＥ−Ａシステムにおいては、上りシングルキャリア送信の特性を維持するために、複数の下りＣＣで送信されたＰＤＳＣＨ信号に対する再送応答信号を特定のＣＣのＰＵＣＣＨで送信することが検討されている。そこで、ＬＴＥ−Ａシステムにおいては、Ｆｏｒｍａｔ  １ａ／１ｂに対して複数の無線リソースを適用し、位相変調（例えば、ＱＰＳＫデータ変調）によるビット情報と、無線リソースの選択情報により複数ＣＣの再送応答信号の組み合わせを規定したマッピングテーブルが検討されている（チャネルセレクション（Channel  selection））。
【００２７】
なお、複数の下りＣＣで送信されたＰＤＳＣＨ信号に対する再送応答信号の送信に用いられる特定のＣＣはＰＣＣ（Primary  Component  Carrier）と呼ばれ、ＰＣＣ以外のＣＣはＳＣＣ（Secondly  Component  Carrier）と呼ばれる。また、ＰＣＣにおけるサービングセルをＰＣｅｌｌ（Primary  Cell）、ＳＣＣにおけるサービングセルをＳＣｅｌｌ（Secondly  Cell）とも呼ぶ。
【００２８】
現在、ＬＴＥ−ＡシステムのＦＤＤ方式においては、２ＣＣまでのチャネルセレクションの適用が検討されている。図４に、２つの基本周波数ブロック（ＰＣＣ及びＳＣＣ）で構成されるシステム帯域において、チャネルセレクションを適用する場合のマッピングテーブルの一例を示す。マッピングテーブルは、上位レイヤからのＲＲＣシグナリングにより割り当てられたＣＣ数および送信モード（つまり、トランスポートブロック数、またはコードワード数）により決定される。
【００２９】
図４Ａは、Ｆｏｒｍａｔ  １ｂに対して３つの無線リソース（Ｃｈ１〜Ｃｈ３）を適用した場合（ＰＣＣ及びＳＣＣの一方が１ＣＷ、他方が２ＣＷ）を示している。図４Ｂは、Ｆｏｒｍａｔ  １ｂに対して４つの無線リソース（Ｃｈ１〜Ｃｈ４）を適用した場合（ＰＣＣ及びＳＣＣが２ＣＷ）を示している。図４Ａでは、ＡＣＫ（０）及びＡＣＫ（１）がＰＣＣ（２ＣＷ）の再送応答信号、ＡＣＫ（２）がＳＣＣ（１ＣＷ）の再送応答信号に相当するか、もしくは、ＡＣＫ（０）がＰＣＣ（１ＣＷ）の再送応答信号、ＡＣＫ（１）及びＡＣＫ（２）がＳＣＣ（２ＣＷ）の再送応答信号に相当する。また、図４Ｂでは、ＡＣＫ（０）及びＡＣＫ（１）がＰＣＣ（２ＣＷ）の再送応答信号に相当し、ＡＣＫ（２）及びＡＣＫ（３）がＳＣＣ（２ＣＷ）の再送応答信号に相当する。
【００３０】
マッピングテーブルにおける無線リソース（例えば、Ｃｈ１〜Ｃｈ４）としては、上述したＬＴＥシステムと同様に、ＯＣＣ（Orthogonal  Cover  Code）、ＣＳ（Cyclic  Shift）やＲＢ（Resource  Block）インデックスを用いることができる。
【００３１】
ユーザ端末は、複数のＣＣ毎の下りリンク共有チャネル信号に対して再送確認し、無線基地局装置にフィードバックする各ＣＣの再送応答信号の組み合わせと、図４に示したマッピングテーブルとに基づいて、再送応答信号の送信に使用するＰＵＣＣＨの無線リソースを決定する。例えば、ＰＣＣ及びＳＣＣが２ＣＷの場合に、ＰＣＣのＰＵＳＣＨ信号に対する再送応答信号として“ＮＡＣＫ，ＡＣＫ”、ＳＣＣのＰＵＳＣＨ信号に対する再送応答信号として“ＡＣＫ，ＡＣＫ”をフィードバックする際には、無線リソース（Ｃｈ２）におけるＱＰＳＫ変調シンボルの“−ｊ”を用いる（図４Ｂ参照）。
【００３２】
また、チャネルセレクションにおいて、マッピングテーブルに指定するＰＵＣＣＨの複数の無線リソース（例えば、Ｃｈ１〜Ｃｈ４）は、各ＣＣ（ここでは、ＰＣＣとＳＣＣ）の下りリンク制御チャネル（ＰＤＣＣＨ）を利用して指定されるＰＣＣの無線リソースとすることができる。
【００３３】
例えば、図４Ｂに示すマッピングテーブル（ＰＣＣ及びＳＣＣが２ＣＷ）において、無線リソース（例えば、Ｃｈ１、Ｃｈ２）は、上述したように、ＰＣＣの下りリンク共有チャネルのＣＣＥインデックスを用いて指定された無線リソースを指定することができる。
【００３４】
また、図４Ｂに示すマッピングテーブル（ＰＣＣ及びＳＣＣが２ＣＷ）において、無線リソース（例えば、Ｃｈ３、Ｃｈ４）は、ＳＣＣの下りリンク制御チャネルに設けられたＡＲＩ（ACK/NACK  Resource  Indicator）フィールドで指定された無線リソースを指定することができる。
【００３５】
ここで、ＡＲＩとは、再送応答信号に使用する無線リソースを指定するための識別情報である。具体的には、各ユーザ端末に対して上位レイヤからのＲＲＣシグナリングにより複数（例えば、４つ）の無線リソースが割り当てられ、当該複数の無線リソースの中から、ＡＲＩフィールドで指定された無線リソースを動的に指定する。ＡＲＩフィールドは、ＳＣＣのＰＤＣＣＨにおけるＴＰＣコマンドフィールド（２ビット）で置換され、ＲＲＣシグナリングにより割当てられた複数の無線リソースのうち、ユーザ端末が利用する無線リソースが指定される。そして、ユーザ端末が、ＲＲＣシグナリングにより割当てられた複数の無線リソースの中から、ＡＲＩフィールドで指定された無線リソースを特定することにより再送応答信号のための無線リソースを求めることができる。
【００３６】
上述のように、チャネルセレクションを適用することにより、複数のＣＣのＰＤＳＣＨに対する再送応答信号を単位値のＣＣのＰＵＣＣＨで送信する場合であっても、複数ＣＣの再送応答信号を適切に設定して送信を行うことができる。
【００３７】
一方で、ＭＩＭＯ多重伝送が適用される場合には、受信状況に応じて送信ストリームの数（ランク）を変化させる制御方式（ランクアダプテーション）が適用される。このランクアダプテーションにおいては、下りリンクのチャネル情報（受信ＳＩＮＲ、アンテナ間のフェージング相関）に基づいて、チャネル状態の良好なユーザ端末に対しては空間多重伝送モードで情報伝送を行う一方、チャネル状態が劣悪なユーザ端末に対しては送信ダイバーシチ伝送モードで情報伝送を行うように無線基地局が制御を行う。
【００３８】
例えば、図５に示すマッピングテーブル（ＰＣＣが２ＣＷ、ＳＣＣが１ＣＷ）を有している場合には、当該マッピングテーブルを参照して、ユーザ端末は再送応答信号の送信に使用するＰＵＣＣＨの無線リソースを決定する。
【００３９】
しかし、ランクアダプテーションの適用により、ＰＣＣのコードワード数（トランスポート数）が１ＣＷまで下がった場合に、再送応答信号の送信をどのように行うかが問題となる。
【００４０】
例えば、ＰＣＣの“ＡＣＫ，ＡＣＫ”及び“ＮＡＣＫ，ＮＡＣＫ”をそれぞれ、“ＡＣＫ”及び“ＮＡＣＫ”とみなして変更したマッピングテーブルの適用が考えられる（図６参照）。しかし、この場合、１ＣＷ伝送のＰＣＣ及びＳＣＣの再送応答信号のビット数は少ない（２Ａ／Ｎビット）にも関わらず、３つの無線リソースを指定して再送応答信号の送信を行うこととなる。なお、図６のマッピングテーブルにおいて、変更後に使用する部分がハッチング部であり、マッピングテーブルの外側の“Ａ，Ａ”、“Ｎ／Ｄ，Ａ”、“Ａ，Ｎ／Ｄ”、“Ｎ，Ｄ”、“Ｄ，Ｄ”は、ＰＣＣ（１ＣＷ）とＳＣＣ（１ＣＷ）の再送応答信号の組み合わせを示している。
【００４１】
また、本発明者は、セミパーシステントスケジューリング（ＳＰＳ：semi-persistent  scheduling）を適用する際に、ランクアダプテーションの適用によりＰＣＣのコードワードが下がった場合に、マッピングテーブルをどのように適用するかが問題となることを見出した。ＬＴＥ（Ｒｅｌ．８）で規定されているＳＰＳでは、上位レイヤ信号により各ユーザ端末に４つの無線リソースを割当て、DCI  formatにおける２ビットのTPC  command  fieldを用いて、再送応答信号の送信に用いる１つの無線リソースの割当てを行っている。一方で、ＬＴＥ−Ａ（Ｒｅｌ．１０）においては、ＳＰＳの送信は、ＰＣＣから選択的に送信することが合意されている。
【００４２】
ＰＣＣが２ＣＷのマッピングテーブルが用いられている場合には、再送応答信号を送信するために、２つの無線リソース（例えば、Ｃｈ１、Ｃｈ２）が必要である。しかし、この場合に、ＳＰＳ送信が生じた場合、再送応答信号の送信に用いる無線リソースを１つしか（例えば、Ｃｈ１）指定できない。
【００４３】
したがって、例えば、図５に示すマッピングテーブルを有している場合（ＰＣＣが２ＣＷ、ＳＣＣが１ＣＷ）、ランクアダプテーションの適用、またはＳＰＳ送信により、ＰＣＣが１ＣＷまで下がった場合の無線リソース（Ｃｈ１及びＣｈ２）の指定が問題となる。例えば、２つの無線リソース（図５のＣｈ１、Ｃｈ２）のうち１つの無線リソース（例えば、図５のＣｈ１）はＳＰＳの送信に用いるＰＤＣＣＨを利用して指定することができるが、他方の無線リソース（図５のＣｈ２）の求め方が問題となる。
【００４４】
本発明者は、ランクアダプテーション等の通信環境の変化によって各ＣＣのコードワード数（トランスポート数）が変化した場合に、マッピングテーブルを用いた再送応答信号の送信に問題が生じることを見出し、トランスポート数に応じて適切なマッピングテーブルを選択してチャネルセレクションを行うことを着想した。
【００４５】
以下、トランスポート数に応じて適切なマッピングテーブルを選択する方法について図面を参照して詳細に説明する。なお、本実施の形態においては、ＬＴＥ−Ａを例に挙げているが、本発明はＬＴＥ−Ａに限定されるものではない。複数の基本周波数ブロックを一体として広帯域化するキャリアアグリゲーションにおいて、フィードバック制御情報の送信を制御する通信システムであれば、本発明をどのような通信システムに適用してもよい。
【００４６】
また、以下の説明では、下りＣＣの数が２つ（ＰＣＣ及びＳＣＣ）である場合を示しているが、これに限定されず、下りＣＣの数が２つ以上でも適用できる。また、チャネルセレクションのマッピングテーブルに設定する無線リソース数も一例であって以下で説明する数に限られない。また、以下の説明では、ランクアダプテーションの適用により、ＰＣＣ及びＳＣＣのトランスポートブロック数が低減する場合に、マッピングテーブルを変更して用いる例を示すが、下記のマッピングテーブルは、ＳＰＳにおいてＰＣＣの再送応答信号を１つとする場合にも適用することができる。
【００４７】
本実施の形態で示すユーザ端末は、複数の基本周波数ブロック（例えば、ＰＣＣ及びＳＣＣ）で構成されるシステム帯域で無線通信を行う。ユーザ端末は、ＰＣＣとＳＣＣの下りリンク共有チャネル信号を復調するデータ情報復調部と、ＰＣＣ及びＳＣＣ毎の下りリンク共有チャネル信号に対して再送確認して再送応答信号を出力する再送確認部と、下りリンク制御情報を復調してトランスポートブロック数（コードワード数）を検出する制御情報復調部と、マッピングテーブルを参照して、ＰＣＣの上りリンク制御チャネルの無線リソースから再送応答信号の送信に利用する無線リソースを決定するチャネル選択制御部とを有している。
【００４８】
ユーザ端末が利用するマッピングテーブルは、複数の無線リソースと位相変調のビット情報を用いてＰＣＣ及びＳＣＣの下りリンク共有チャネル信号に対する再送応答信号の組み合わせが規定されている。ユーザ端末は、基地局装置から動的に通知されたトランスポートブロック数に応じて、マッピングテーブルの内容を適宜変更して適用する。これにより、ランクアダプテーションの適用により、ＰＣＣのコードワード数が下がる場合であっても、適切なマッピングテーブルを選択してチャネルセレクションを行うことが可能となる。
【００４９】
マッピングテーブルの内容の変更は、トランスポートブロック数に応じてマッピングテーブルから所定の部分を選択することにより行うことができる。例えば、ランクアダプテーションの適用によりＰＣＣのトランスポート数が下がった場合に、トランスポートブロック数が下がる前のマッピングテーブルの内容から所定の部分を選択した内容のマッピングテーブルを適用する。この場合、ランクアダプテーションの適用の有無によってマッピングテーブル自体を変更するのでなく、特定のマッピングテーブルから所定の部分を選択することにより内容を変更することとなる。
【００５０】
例えば、ＰＣＣの基本周波数ブロックのトランスポートブロック数が下がった場合に、マッピングテーブルに設定する無線リソース数を低減するようにマッピングテーブルの内容を変更することができる。また、ＰＣＣ（２ＣＷ）の再送応答信号の組み合わせについて、“ＡＣＫ，ＡＣＫ”の組み合わせを“ＡＣＫ”とし、“ＮＡＣＫ，ＮＡＣＫ”の組み合わせを“ＮＡＣＫ”として、所定の部分を選択することができる。
【００５１】
なお、ユーザ端末が利用するマッピングテーブルは、無線基地局装置も有しており、無線基地局装置は、ユーザ端末に通知したトランスポートブロック数に応じて、マッピングテーブルの内容を特定することができる。
【００５２】
マッピングテーブルの無線リソース（例えば、Ｃｈ１〜Ｃｈ４）には、上述したようにＰＣＣ及びＳＣＣの下りリンク共有チャネルを利用して指定されるＰＣＣの上りリンク制御チャネルの無線リソースが指定される。
【００５３】
以下に、本実施の形態で適用するマッピングテーブルの一例について説明する。
【００５４】
図７Ａは、ＰＣＣが２ＣＷ伝送／ＳＣＣが１ＣＷ伝送の場合の使用を想定したＦｏｒｍａｔ  １ｂに対して３つの無線リソースを適用したマッピングテーブルを示している。一方、図７Ｂは、ランクアダプテーションによりＰＣＣのコードワード数が下がった場合を考慮して、使用する無線リソース数を低減できることを特徴とする本実施の形態のマッピングテーブルを示している。本実施の形態においては、上位レイヤからＲＲＣシグナリングで通知されたＣＣ数および送信モードにより決定されたマッピングテーブルとして、図７Ａのマッピングテーブルの替わりに、図７Ｂのマッピングテーブルを用いることを特徴とする。
【００５５】
変更後のマッピングテーブル（図７Ｂ）において、ランクアダプテーション時に使用する部分がハッチング部であり、ランクアダプテーション適用時に、マッピングテーブルの所定の部分（ここでは、ハッチング部）を選択して適用する。つまり、ランクアダプテーションを適用しない場合には、図７Ｂのマッピングテーブル全体（白枠部とハッチング部）の内容を適用し、ランクアダプテーション適用時には図７Ｂのマッピングテーブルの所定の部分を選択して内容が変更されたマッピングテーブルを適用する。この場合、ランクアダプテーションの適用の有無によってマッピングテーブル自体を変更するのでなく、マッピングテーブルの所定の部分を選択することにより内容を変更することとなる。なお、マッピングテーブルの外側の“Ａ，Ａ”、“Ｎ／Ｄ，Ａ”、“Ａ，Ｎ／Ｄ”、“Ｎ，Ｄ”、“Ｄ，Ｄ”は、ランクアダプテーション適用時のＰＣＣ（１ＣＷ）とＳＣＣ（１ＣＷ）の組み合わせを示している。
【００５６】
一方で、ＰＣＣが２ＣＷ伝送／ＳＣＣが１ＣＷ伝送の場合は図７Ａのマッピングテーブルを用い、ランクアダプテーションによりＰＣＣのコードワード数が下がった場合は、図７Ａに替えて図７Ｂのマッピングテーブルを用いる構成としても良い。この場合、ランクアダプテーションの適用の有無によってマッピングテーブルが変更することとなる。
【００５７】
図７Ｂにおいて、ランクアダプテーション適用時のマッピングテーブル（ハッチング部）として、ＰＣＣ（２ＣＷ）における“ＡＣＫ，ＡＣＫ”の組み合わせを“ＡＣＫ”とし、“ＮＡＣＫ，ＮＡＣＫ”（“Ｎ／Ｄ，Ｎ／Ｄ”）の組み合わせを“ＮＡＣＫ”（“Ｎ／Ｄ”）としている。つまり、図７Ｂのランクアダプテーション適用時のマッピングテーブルにおいて、ＰＣＣ（２ＣＷ）における“Ａ，Ｎ／Ｄ”、“Ｎ／Ｄ，Ａ”の部分は選択していない。
【００５８】
マッピングテーブルの変更をこのように行うことにより、図７Ｂのマッピングテーブルにおいて、ランクアダプテーション非適用時にＳＣＣ（１ＣＷ）が“ＤＴＸ”の場合にＰＣＣの再送応答信号がＦｏｒｍａｔ  １ａと等価となる場合に、ランクアダプテーション適用時においても、ＳＣＣ（１ＣＷ）が“ＤＴＸ”の場合にＦｏｒｍａｔ  １ａをサポートすることができる。このようにＳＣＣがＤＴＸの場合に、ＰＣＣがＦｏｒｍａｔ  １ａをサポートする構成とすることによって、ＰＣＣに対するマッピングテーブルをキャリアアグリゲーションの有無によらず共通化でき、キャリアアグリゲーションの有無を切り替える処理中における通信の瞬断を防ぐことができる。
【００５９】
また、図７Ｂのマッピングテーブルにおいてランクアダプテーションをした場合、１つの無線リソース（ここでは、Ｃｈ２）を低減し、マッピングテーブルで指定する無線リソース数を２つとする。この場合、図７Ｂのマッピングテーブルでは、２つの無線リソース（Ｃｈ１とＣｈ３）を用いて、ＰＣＣ（１ＣＷ）とＳＣＣ（１ＣＷ）の再送応答信号の組み合わせが規定される。また、図７Ｂでは、ＰＣＣ（１ＣＷ）とＳＣＣ（１ＣＷ）の組み合わせ“ＡＣＫ，ＡＣＫ”が、Ｃｈ３に“ｊ”として規定される。これにより、ランクアダプテーションの適用の有無により無線リソース（Ｃｈ２）を減らす（選択しない）場合であっても、ＰＣＣ（１ＣＷ）とＳＣＣ（１ＣＷ）の組み合わせ“ＡＣＫ，ＡＣＫ”を表すことができる。このように、ランクアダプテーションの適用時のマッピングテーブルで指定する無線リソースを低減することにより、ＰＣＣ（１ＣＷ）とＳＣＣ（１ＣＷ）の再送応答信号の組み合わせ情報のビット数が少ない場合に、再送応答送信の送信に用いる無線リソース数を低減することができる。
【００６０】
ユーザ端末は、コードワード数に依らず、図７Ａの替わりに、図７Ｂのマッピングテーブル（変更後）を用いる。この場合、ランクアダプテーション適用時には図７Ｂのマッピングテーブルの所定の部分を選択して内容が変更されたマッピングテーブルを適用する。他にも、ランクアダプテーションが適用されない場合には、図７Ａのマッピングテーブル（変更前）を用い、ランクアダプテーションが適用される場合には、図７Ｂのマッピングテーブル（変更後）を用いる構成としてもよい。これにより、ランクアダプテーションの適用により、ＰＣＣのコードワード数が下がる場合であっても、チャネルセレクションにおける無線リソース数を適切に設定すると共に、ＳＣＣがＤＴＸの際にＦｏｒｍａｔ  １ａをサポートすることができる。
【００６１】
図８Ａは、ＰＣＣが２ＣＷ伝送／ＳＣＣが２ＣＷ伝送の場合を想定したＦｏｒｍａｔ  １ｂに対して４つの無線リソースを適用したマッピングテーブルを示している。一方、図８Ｂは、ランクアダプテーションによりＰＣＣのコードワード数が下がった場合を考慮して、使用する無線リソース数を低減できることを特徴とする本実施の形態のマッピングテーブルを示している。本実施の形態においては、上位レイヤからＲＲＣシグナリングで通知されたＣＣ数及び送信モードにより決定されたマッピングテーブルとして、図８Ａのマッピングテーブルの替わりに、図８Ｂのマッピングテーブルを用いることを特徴とする。
【００６２】
なお、変更後のマッピングテーブル（図８Ｂ）において、ランクアダプテーション適用時に、マッピングテーブルの所定の部分（ハッチング部）を選択して適用する。つまり、ランクアダプテーションを適用しない場合には、図８Ｂのマッピングテーブル全体の内容を適用し、ランクアダプテーション適用時には、図８Ｂのマッピングテーブルの所定の部分を選択して内容が変更されたマッピングテーブルを適用する。この場合、ランクアダプテーションの適用の有無によってマッピングテーブル自体を変更するのでなく、マッピングテーブルの所定の部分を選択することにより内容を変更することとなる。なお、マッピングテーブルの外側の“Ａ，Ａ，Ａ”、“Ｎ／Ｄ，Ａ，Ａ”、“Ａ，Ａ，Ｎ／Ｄ”、“Ｎ／Ｄ，Ａ，Ｎ／Ｄ”、“Ａ，Ｎ／Ｄ，Ａ”、“Ｎ／Ｄ，Ｎ／Ｄ，Ａ”、“Ａ，Ｎ／Ｄ，Ｎ／Ｄ”、“Ｎ／Ｄ，Ｎ／Ｄ，Ｎ／Ｄ”は、ランクアダプテーション適用時のＰＣＣ（１ＣＷ）とＳＣＣ（２ＣＷ）の組み合わせを示している。以下のマッピングテーブルの説明においても同様に表記する。
【００６３】
一方で、ＰＣＣが２ＣＷ伝送／ＳＣＣが２ＣＷ伝送の場合は図８Ａのマッピングテーブルを用い、ランクアダプテーションによりＰＣＣのコードワード数が下がった場合は、図８Ａに替えて図８Ｂのマッピングテーブルを用いる構成としても良い。この場合、ランクアダプテーションの適用の有無によってマッピングテーブルが変更することとなる。
【００６４】
図８Ｂにおいて、ランクアダプテーション適用時のマッピングテーブル（ハッチング部）として、ＰＣＣ（２ＣＷ）における“ＡＣＫ，ＡＣＫ”の組み合わせを“ＡＣＫ”とし、“ＮＡＣＫ，ＮＡＣＫ”の組み合わせを“ＮＡＣＫ”としている。つまり、図８Ｂのランクアダプテーション適用時のマッピングテーブルにおいて、ＰＣＣ（２ＣＷ）における“ＡＣＫ，ＮＡＣＫ／ＤＴＸ”、“ＮＡＣＫ／ＤＴＸ，ＡＣＫ”の部分は選択していない。
【００６５】
マッピングテーブルの変更をこのように行うことにより、図８Ｂのマッピングテーブルにおいて、ランクアダプテーション非適用時にＳＣＣ（２ＣＷ）が“ＤＴＸ”の場合にＰＣＣの再送応答信号の状態がＦｏｒｍａｔ  １ａと等価となる場合に、ランクアダプテーション適用時においても、ＳＣＣ（２ＣＷ）が“ＤＴＸ”の場合にＦｏｒｍａｔ  １ａをサポートすることができる。
【００６６】
また、本実施の形態では、図８Ｂのマッピングテーブルにおいてランクアダプテーションをした場合、変更前の図８Ａのマッピングテーブルにおいてランクアダプテーションをした場合と比較して、１つの無線リソース（ここでは、Ｃｈ２）を低減し、指定する無線リソース数を３つとする。この場合、図８Ｂのマッピングテーブルでは、図８Ａのマッピングテーブルの３つの無線リソース（Ｃｈ１、Ｃｈ３及びＣｈ４）を用いて、ＰＣＣ（１ＣＷ）とＳＣＣ（２ＣＷ）の再送応答信号の組み合わせが規定される。このように、ランクアダプテーション適用時のマッピングテーブルで指定する無線リソースを低減することにより、ＰＣＣ（１ＣＷ）とＳＣＣ（２ＣＷ）の再送応答信号の組み合わせ情報のビット数少なくなった場合に、再送応答信号の送信に用いる無線リソース数を低減することができる。
【００６７】
また、図８Ｂでは、ＰＣＣ（１ＣＷ）とＳＣＣ（２ＣＷ）の組み合わせ“Ａ，Ａ，Ａ”が、Ｃｈ３に“−ｊ”として規定され、“Ａ，Ａ，Ｎ／Ｄ”が、Ｃｈ３に“１”として規定される。つまり、図８Ｂでは、図８ＡのＰＣＣ（２ＣＷ）とＳＣＣ（２ＣＷ）の組み合わせ“Ａ，Ａ，Ａ，Ａ”と“Ａ，Ｎ／Ｄ，Ａ，Ａ”で規定されたビット情報が入れ替わるように変更されている。また、ＰＣＣ（２ＣＷ）とＳＣＣ（２ＣＷ）の組み合わせ“Ａ，Ａ，Ａ，Ｎ／Ｄ”と“Ａ，Ｎ／Ｄ，Ａ，Ｎ／Ｄ”で規定されたビット情報が入れ替わるように変更されている。
【００６８】
ユーザ端末は、コードワード数に依らず、図８Ａの替わりに、図８Ｂのマッピングテーブル（変更後）を用いる。この場合、ランクアダプテーション適用時には図８Ｂのマッピングテーブルの所定の部分を選択して内容が変更されたマッピングテーブルを適用する。他にも、ランクアダプテーションが適用されない場合には、図８Ａのマッピングテーブル（変更前）を用い、ランクアダプテーションが適用され、ＰＣＣのコードワード数が２ＣＷから１ＣＷに下がる場合には、図８Ｂのマッピングテーブル（変更後）を用いても良い。これにより、ランクアダプテーションの適用により、ＰＣＣのコードワード数が下がる場合であっても、チャネルセレクションにおける無線リソース数を適切に設定すると共に、ＳＣＣがＤＴＸの際にＦｏｒｍａｔ  １ａ／１ｂをサポートすることができる。
【００６９】
なお、図８では、ＰＣＣが２ＣＷから１ＣＷ伝送に低下する場合について示したが、図９にランクアダプテーションによりＳＣＣが２ＣＷから１ＣＷ伝送に低下する場合（ＰＣＣが２ＣＷ伝送／ＳＣＣが１ＣＷ伝送）の際に適用するマッピングテーブルを示す。また、図１０にランクアダプテーションによりＰＣＣ及びＳＣＣが２ＣＷから１ＣＷ伝送に低下する場合（ＰＣＣが１ＣＷ伝送／ＳＣＣが１ＣＷ伝送）の際に適用するマッピングテーブルを示す。ユーザ端末は、ＰＤＣＣＨで通知されたトランスポートブロック数に応じて図８Ｂ〜図１０Ｂのマッピングテーブルで選択された所定の部分（ハッチング部）を適宜変更して適用することができる。つまり、トランスポートブロック数に応じて、マッピングテーブルを選択する内容が異なることとなる。
【００７０】
図９Ａは、ＰＣＣが２ＣＷ伝送／ＳＣＣが２ＣＷ伝送の場合を想定したＦｏｒｍａｔ  １ｂに対して４つの無線リソースを適用したマッピングテーブルを示している。一方、図９Ｂは、ランクアダプテーションによりＰＣＣのコードワード数が下がった場合に無線リソースを低減できることを特徴としたマッピングテーブルを、ランクアダプテーションによりＳＣＣのコードワード数が下がった場合に適用したマッピングテーブルを示している。本実施の形態においては、上位レイヤからＲＲＣシグナリングで通知されたＣＣ数および送信モードにより決定されたマッピングテーブルとして、図９Ａのマッピングテーブルの替わりに、図９Ｂのマッピングテーブルを用いることを特徴とする。一方で、ＰＣＣが２ＣＷ伝送／ＳＣＣが２ＣＷ伝送の場合は図９Ａのマッピングテーブルを用い、ランクアダプテーションによりＰＣＣのコードワード数が下がった場合は、図９Ａに替えて図９Ｂのマッピングテーブルを用いる構成としても良い。
【００７１】
図９Ｂのマッピングテーブルにおいて、ＳＣＣ（２ＣＷ）における“ＡＣＫ，ＡＣＫ”の組み合わせを“ＡＣＫ”とし、“ＮＡＣＫ，ＮＡＣＫ”の組み合わせを“ＮＡＣＫ”としている。また、図９Ｂのマッピングテーブルにおいて、ＳＣＣ（２ＣＷ）における“Ａ，Ｎ／Ｄ”、“Ｎ／Ｄ，Ａ”の部分は選択していない。
【００７２】
これにより、図９Ａのマッピングテーブルにおいてランクアダプテーションした場合、ＳＣＣ（２ＣＷ）が“ＤＴＸ”の場合にＰＣＣの再送応答信号の状態がＦｏｒｍａｔ  １ｂと等価となる場合に、図９Ｂのマッピングテーブルにおいても、ＳＣＣ（１ＣＷ）が“ＤＴＸ”の場合にＦｏｒｍａｔ  １ｂをサポートすることができる。
【００７３】
ユーザ端末は、コードワード数に依らず、図９Ａの替わりに、図９Ｂのマッピングテーブル（変更後）を用いる。この場合、ランクアダプテーション適用時には図９Ｂのマッピングテーブルの所定の部分を選択して内容が変更されたマッピングテーブルを適用する。他にも、ランクアダプテーションが適用されない場合には、図９Ａのマッピングテーブル（変更前）を用い、ランクアダプテーションが適用され、ＳＣＣのコードワード数が２ＣＷから１ＣＷに下がる場合には、図９Ｂのマッピングテーブル（変更後）を用いても良い。これにより、ランクアダプテーションの適用により、ＳＣＣのコードワード数が下がる場合であっても、チャネルセレクションにおける応答送信内容を適切に設定すると共に、ＳＣＣがＤＴＸの際にＦｏｒｍａｔ  １ａ／１ｂをサポートすることができる。
【００７４】
図１０Ａは、ＰＣＣが２ＣＷ伝送／ＳＣＣが２ＣＷ伝送の場合を想定したＦｏｒｍａｔ  １ｂに対して４つの無線リソースを適用したマッピングテーブルを示している。一方、図１０Ｂは、ランクアダプテーションによりＰＣＣ及びＳＣＣのコードワード数が下がった場合を考慮して、ＰＣＣで使用する無線リソース数を低減できることを特徴とする本実施の形態のマッピングテーブル（図１０Ｂ）を示している。本発明においては、上位レイヤからＲＲＣシグナリングで通知されたＣＣ数および送信モードにより決定されたマッピングテーブルとして、図１０Ａのマッピングテーブルの替わりに、図１０Ｂのマッピングテーブルを用いることを特徴とする。
【００７５】
なお、変更後のマッピングテーブル（図１０Ｂ）において、ランクアダプテーション適用時に、マッピングテーブルの所定の部分（ハッチング部）を選択して適用する。つまり、ランクアダプテーションを適用しない場合には、図１０Ｂのマッピングテーブル全体の内容を適用し、ランクアダプテーション適用時には、図１０Ｂのマッピングテーブルの所定の部分を選択して内容が変更されたマッピングテーブルを適用する。この場合、ランクアダプテーションの適用の有無によってマッピングテーブル自体を変更するのでなく、マッピングテーブルの所定の部分を選択することにより内容を変更することとなる。
【００７６】
一方で、ＰＣＣが２ＣＷ伝送／ＳＣＣが２ＣＷ伝送の場合は図１０Ａのマッピングテーブルを用い、ランクアダプテーションによりＰＣＣ及びＳＣＣのコードワード数が下がった場合は、図１０Ａに替えて図１０Ｂのマッピングテーブルを用いる構成としても良い。
【００７７】
図１０Ｂにおいて、ランクアダプテーション適用時のマッピングテーブル（ハッチング部）ＰＣＣ（２ＣＷ）及びＳＣＣ（２ＣＷ）における“ＡＣＫ，ＡＣＫ”の組み合わせを“ＡＣＫ”とし、“ＮＡＣＫ，ＮＡＣＫ”の組み合わせを“ＮＡＣＫ”としている。また、図１０Ｂのマッピングテーブルにおいて、ＰＣＣ（２ＣＷ）及びＳＣＣ（２ＣＷ）における“Ａ，Ｎ／Ｄ”、“Ｎ／Ｄ，Ａ”の部分は選択していない。
【００７８】
マッピングテーブルの変更をこのように行うことにより、図１０Ｂのマッピングテーブルにおいて、ランクアダプテーション非適用時にＳＣＣ（１ＣＷ）が“ＤＴＸ”の場合にＰＣＣの再送応答信号の状態がＦｏｒｍａｔ  １ａと等価となる場合に、ランクアダプテーション適用時においても、ＳＣＣ（１ＣＷ）が“ＤＴＸ”の場合にＦｏｒｍａｔ  １ａをサポートすることができる。
【００７９】
また、また、本実施の形態では、図１０Ｂのマッピングテーブルにおいてランクアダプテーションをした場合、変更前の図１０Ａのマッピングテーブルにおいてランクアダプテーションをした場合と比較して、１つの無線リソース（ここでは、Ｃｈ２）を低減し、指定する無線リソース数を３つとする。この場合、図１０Ｂのマッピングテーブルでは、図１０Ａのマッピングテーブルの３つの無線リソース（Ｃｈ１、Ｃｈ３及びＣｈ４）を用いて、ＰＣＣ（１ＣＷ）とＳＣＣ（２ＣＷ）の再送応答信号の組み合わせが規定される。このように、ランクアダプテーション適用時のマッピングテーブルで指定する無線リソースを低減することにより、ＰＣＣ（１ＣＷ）とＳＣＣ（２ＣＷ）の再送応答信号の組み合わせ情報のビット数少なくなった場合に、再送応答信号の送信に用いる無線リソース数を低減することができる。
【００８０】
また、図１０Ｂでは、ＰＣＣ（１ＣＷ）とＳＣＣ（２ＣＷ）の組み合わせ“Ａ，Ａ，Ａ”が、Ｃｈ３に“−ｊ”として規定され、“Ａ，Ａ，Ｎ／Ｄ”が、Ｃｈ３に“１”として規定される。つまり、図１０Ｂでは、図１０ＡのＰＣＣ（２ＣＷ）とＳＣＣ（２ＣＷ）の組み合わせ“Ａ，Ａ，Ａ，Ａ”と“Ａ，Ｎ／Ｄ，Ａ，Ａ”で規定されたビット情報が入れ替わるように変更されている。また、ＰＣＣ（２ＣＷ）とＳＣＣ（２ＣＷ）の組み合わせ“Ａ，Ａ，Ａ，Ｎ／Ｄ”と“Ａ，Ｎ／Ｄ，Ａ，Ｎ／Ｄ”で規定されたビット情報が入れ替わるように変更されている。
【００８１】
なお、変更前の図１０Ａのマッピングテーブルにおいて、ＰＣＣ（２ＣＷ）及びＳＣＣ（２ＣＷ）における“ＡＣＫ，ＡＣＫ”の組み合わせを“ＡＣＫ”とし、“ＮＡＣＫ，ＮＡＣＫ”の組み合わせを“ＮＡＣＫ”とした場合、Ｃｈ３においてビット情報が規定されないため、Ｃｈ３を使用しない構成としてもよい。
【００８２】
ユーザ端末は、コードワード数に依らず、図１０Ａの替わりに、図１０Ｂのマッピングテーブル（変更後）を用いる。この場合、ランクアダプテーション適用時には図１０Ｂのマッピングテーブルの所定の部分を選択して内容が変更されたマッピングテーブルを適用する。他にも、ランクアダプテーションが適用されない場合には、図１０Ａのマッピングテーブル（変更前）を用い、ランクアダプテーションが適用され、ＰＣＣのコードワード数が２ＣＷから１ＣＷに下がる場合には、図１０Ｂのマッピングテーブル（変更後）を用いてもよい。これにより、ランクアダプテーションの適用により、ＰＣＣのコードワード数が下がる場合であっても、チャネルセレクションにおける無線リソース数を適切に設定すると共に、ＳＣＣがＤＴＸの際にＦｏｒｍａｔ  １ａをサポートすることができる。
【００８３】
なお、上記図７〜図１０に示したマッピングテーブルでは、変更後のマッピングテーブルにおいて、ＰＣＣ（２ＣＷ）及び／又はＳＣＣ（２ＣＷ）における“ＡＣＫ，ＡＣＫ”の組み合わせを“ＡＣＫ”とし、“ＮＡＣＫ，ＮＡＣＫ”の組み合わせを“ＮＡＣＫ”としているが、マッピングテーブルの変更方法はこれに限られない。例えば、“ＡＣＫ，ＮＡＣＫ”の組み合わせを“ＡＣＫ”としてもよい。
【００８４】
一例として、図８〜図１０の変更前のマッピングテーブルにおいて，ランクアダプテーションをした場合，Ｆｏｒｍａｔ  １ａ／１ｂがサポートしつつ、ＰＣＣの無線リソース数を低減できるように、所定の部分の“ＡＣＫ，ＮＡＣＫ”の組み合わせを“ＡＣＫ”とした場合のマッピングテーブルを図１１〜図１３に示す。
【００８５】
図１１〜図１３においても、ユーザ端末は、ランクアダプテーションが適用される場合には、マッピングテーブルの所定の部分（ハッチング部）を選択して適用する。つまり、ランクアダプテーションを適用しない場合には、マッピングテーブル全体の内容を適用し、ランクアダプテーション適用時には、マッピングテーブルの所定の部分を選択した内容を適用する。ユーザ端末は、送信モードに応じて図１１〜図１３のマッピングテーブルで選択された所定の部分（ハッチング部）を適宜変更して適用することができる。図１１〜図１３に示すマッピングテーブルを適用することによっても、ランクアダプテーションの適用により、ＰＣＣのコードワード数が下がる場合であっても、チャネルセレクションにおける応答送信内容を適切に設定すると共に、ＳＣＣがＤＴＸの際にＦｏｒｍａｔ  １ａ／１ｂをサポートすることができる。
【００８６】
なお、図７〜図１３で示したマッピングテーブルは一例であり、本願発明において適用可能なマッピングテーブルはこれに限られない。また、上記説明では、ランクアダプテーションの適用により、ＰＣＣ及びＳＣＣのトランスポートブロック数が低減する場合に、マッピングテーブルを変更して用いる例を示すが、本実施の形態で示したマッピングテーブルは、ＳＰＳにおいてＰＣＣの再送応答信号を１つとする場合にも同様に適用することができる。
【００８７】
以下に、上記実施の形態で示した無線通信方法を適用するユーザ端末及び無線基地局装置等の構成について説明する。ここでは、ＬＴＥ−Ａ方式のシステム（ＬＴＥ−Ａシステム）に対応する無線基地局装置及びユーザ端末を用いる場合について説明する。
【００８８】
まず、図１４を参照しながら、ユーザ端末１００及び無線基地局装置２００を有する移動通信システム１０について説明する。図１４は、本発明の一実施の形態に係るユーザ端末１００及び無線基地局装置２００を有する移動通信システム１０の構成を説明するための図である。なお、図１４に示す移動通信システム１０は、例えば、ＬＴＥシステムが包含されるシステムである。また、この移動通信システム１０は、ＩＭＴ−Ａｄｖａｎｃｅｄと呼ばれても良いし、４Ｇと呼ばれても良い。
【００８９】
図１４に示すように、移動通信システム１０は、無線基地局装置２００と、この無線基地局装置２００と通信する複数のユーザ端末１００（１００１、１００２、１００３、・・・１００ｎ、ｎはｎ＞０の整数）とを含んで構成されている。無線基地局装置２００は、コアネットワーク４０と接続される。ユーザ端末１００は、セル５０において無線基地局装置２００と通信を行っている。なお、コアネットワーク４０には、例えば、アクセスゲートウェイ装置、無線ネットワークコントローラ（ＲＮＣ）、モビリティマネジメントエンティティ（ＭＭＥ）等が含まれるが、これに限定されるものではない。
【００９０】
移動通信システム１０においては、無線アクセス方式として、下りリンクについてはＯＦＤＭＡが、上りリンクについてはＳＣ−ＦＤＭＡが適用される。
【００９１】
ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、端末毎に連続した帯域にデータをマッピングして通信を行うシングルキャリア伝送方式であり、複数の端末が互いに異なる帯域を用いることで、マルチアクセスを実現する。
【００９２】
ここで、ＬＴＥシステムにおける通信チャネルについて説明する。下りリンクについては、各ユーザ端末１００のトラヒックデータを伝送するＰＤＳＣＨ、および各ユーザ端末にＰＤＳＣＨにおけるＲＢの割り当て情報、データ変調方式・チャネル符号化率、再送関連情報等のＬ１／Ｌ２制御情報を通知するＰＤＣＣＨ等が用いられる。また、チャネル推定、受信品質測定等に用いられる参照信号がこれらのチャネルと共に送信される。
【００９３】
上りリンクについては、各ユーザ端末１００のトラヒックデータを伝送するＰＵＳＣＨ、および下り周波数スケジューリングのためのチャネル品質情報（ＣＱＩ）報告、下り送信データに対するＡＣＫ／ＮＡＣＫ等のＬ１／Ｌ２制御情報を伝送するＰＵＣＣＨ等が用いられる。また、チャネル推定に用いられる復調用参照信号やチャネル品質測定に用いられるチャネル品質測定用参照信号がこれらのチャネルと共に送信される。
【００９４】
次に、図１５を参照して、上述したマッピングテーブルを用いて、上りリンク制御情報の送信を行うユーザ端末の機能構成について説明する。
【００９５】
以下の説明においては、ユーザ端末から上りリンクで上りリンク制御情報が送信される場合に、ＣＡＺＡＣ符号系列の巡回シフトを用いて複数ユーザ間を直交多重し、フィードバック制御情報である再送応答信号を送信する場合について説明する。なお、以下の説明においては、２つのＣＣから受信した下りリンク共有チャネルに対する再送応答信号を送信する場合を示すが、ＣＣ数はこれに限定されない。
【００９６】
図１５に示すユーザ端末は、送信部と、受信部とを備えている。受信部は、受信信号を制御情報とデータ信号に分離するチャネル分離部１４００と、ＯＦＤＭ信号を復調するデータ情報復調部１４０１と、ＰＣＣ及びＳＣＣ毎の下りリンク共有チャネル信号に対して再送確認して再送応答信号を出力する再送確認部１４０２と、下りリンク制御情報を復調する下りリンク制御情報復調部１４０３とを有している。一方、送信部は、制御情報送信チャネル選択部１２０１と、上りリンク共有チャネル（ＰＵＳＣＨ）処理部１０００と、上りＡＣＫ／ＮＡＣＫチャネル（ＰＵＣＣＨ）処理部１１００と、ＳＲＳ処理部１３００と、チャネル多重部１２０２と、ＩＦＦＴ部１２０３と、ＣＰ付与部１２０４とを有している。
【００９７】
データ情報復調部１４０１は、下りＯＦＤＭ信号を受信し復調する。すなわち、下りＯＦＤＭ信号からＣＰを除去し、高速フーリエ変換し、ＢＣＨ信号あるいは下り制御信号が割り当てられたサブキャリアを取り出し、データ復調する。複数のＣＣから下りＯＦＤＭ信号を受信した場合には、ＣＣ毎にデータ復調する。データ情報復調部１４０１は、データ復調後の下り信号を再送確認部１４０２に出力する。
【００９８】
再送確認部１４０２は、受信した下りリンク共有チャネル信号（ＰＤＳＣＨ信号）が誤りなく受信できたか否かを判定し、下りリンク共有チャネル信号が誤りなく受信できていればＡＣＫ、誤りが検出されればＮＡＣＫ、下りリンク共有チャネル信号が検出されなければＤＴＸの各状態を再送確認して再送応答信号を出力する。無線基地局装置との通信に複数ＣＣが割り当てられている場合は、ＣＣ毎に下りリンク共有チャネル信号が誤りなく受信できたか否かを判定する。また、再送確認部１４０２は、コードワード毎に上記３状態を判定する。２コードワード伝送時はコードワード毎に上記３状態を判定する。再送確認部１４０２は、判定結果を送信部（ここでは、制御情報送信チャネル選択部１２０１）に出力する。
【００９９】
下りリンク制御情報復調部１４０３は、無線基地局装置からの下りリンク制御情報を復調してトランスポートブロック数を検出する。無線基地局装置との通信に複数ＣＣが割り当てられている場合は、ＣＣ毎に設定されたトランスポートブロック数を検出する。下りリンク制御情報復調部１４０３は、検出結果をチャネル選択制御部１１０１に出力する。
【０１００】
制御情報送信チャネル選択部１２０１は、フィードバック制御情報である再送応答信号を送信するチャネルを選択する。具体的には、上りリンク共有チャネル（ＰＵＳＣＨ）に含めて送信するか、上りリンク制御チャネル（ＰＵＣＣＨ）で送信するかを決定する。例えば、送信時のサブフレームにおいて、ＰＵＳＣＨ信号がある場合には、上りリンク共有チャネル処理部１０００に出力し、ＰＵＳＣＨに再送応答信号をマッピングして送信する。一方、当該サブフレームにおいて、ＰＵＳＣＨ信号がない場合には、上りＡＣＫ／ＮＡＣＫチャネル（ＰＵＣＣＨ）処理部１１００に出力し、ＰＵＣＣＨの無線リソースを用いて再送応答信号を送信する。
【０１０１】
上りリンク共有チャネル処理部１０００は、再送確認部１４０２の判定結果に基づいて、再送応答信号のビットを決定する制御情報ビット決定部１００６と、ＡＣＫ／ＮＡＣＫビット系列を誤り訂正符号化するチャネル符号化部１００７、送信すべきデータ系列を誤り訂正符号化するチャネル符号化部１００１と、符号化後のデータ信号をデータ変調するデータ変調部１００２、１００８と、変調されたデータ信号と再送応答信号を時間多重する時間多重部１００３と、時間多重した信号にＤＦＴ（Discrete  Fourier  Transform）するＤＦＴ部１００４と、ＤＦＴ後の信号をサブキャリアにマッピングするサブキャリアマッピング部１００５とを有している。
【０１０２】
上りＡＣＫ／ＮＡＣＫチャネル（ＰＵＣＣＨ）処理部１１００は、再送応答信号の送信に用いるＰＵＣＣＨの無線リソースを制御するチャネル選択制御部１１０１と、ＰＳＫデータ変調を行うＰＳＫデータ変調部１１０２と、ＰＳＫデータ変調部１１０２で変調されたデータに巡回シフトを付与する巡回シフト部１１０３と、巡回シフト後の信号にブロック拡散符号でブロック拡散するブロック拡散部１１０４と、ブロック拡散後の信号をサブキャリアにマッピングするサブキャリアマッピング部１１０５とを有している。
【０１０３】
チャネル選択制御部１１０１は、マッピングテーブルを参照して、ＰＣＣの上りリンク制御チャネルの無線リソースから再送応答信号の送信に利用する無線リソースを決定する。チャネル選択制御部１１０１が利用するマッピングテーブルは、複数の無線リソースと位相変調のビット情報を用いてＰＣＣ及びＳＣＣの下りリンク共有チャネル信号に対する再送応答信号の組み合わせが規定されている。チャネル選択制御部１１０１は、下りリンク制御情報復調部１４０３において、無線基地局装置からの下りリンク制御情報を復調して得られたトランスポートブロック数に応じて、マッピングテーブルの内容を適宜変更して適用する。具体的には、ＰＣＣ及びＳＣＣのトランスポートブロック数に応じて、マッピングテーブルの所定の部分を選択した内容を適用することができる。例えば、上記図７〜図１３等で示したマッピングテーブルを適用して、再送応答信号に用いる無線リソースを選択する。選択情報は、ＰＳＫデータ変調部１１０２、巡回シフト部１１０３、ブロック拡散部１１０４及びサブキャリアマッピング部１１０５に通知する。
【０１０４】
例えば、ＰＤＣＣＨで動的に指定されたＰＣＣのトランスポートブロック数が１である場合、チャネル選択制御部１１０１は、ＰＣＣのトランスポートブロック数が２の場合に適用するマッピングテーブルから所定の部分を選択した内容のマッピングテーブルを適用する（例えば、図７Ｂ、図８Ｂ、図１０Ｂ）を適用する。この場合、ＰＣＣのトランスポートブロック数が２の場合に適用するマッピングテーブルから無線リソース数を１つ低減したマッピングテーブルを適用することとなる。
【０１０５】
ＰＳＫデータ変調部１１０２は、チャネル選択制御部１１０１から通知された情報に基づいて、位相変調（ＰＳＫデータ変調）を行う。例えば、ＰＳＫデータ変調部１１０２において、ＱＰＳＫデータ変調による２ビットのビット情報に変調する。
【０１０６】
巡回シフト部１１０３は、ＣＡＺＡＣ（Constant  Amplitude  Zero  Auto  Correlation）符号系列の巡回シフトを用いて直交多重を行う。具体的には、時間領域の信号を所定の巡回シフト量だけシフトする。なお、巡回シフト量はユーザ毎に異なり、巡回シフト番号に対応づけられている。巡回シフト部１１０３は、巡回シフト後の信号をブロック拡散部１１０４に出力する。ブロック拡散部（直交符号乗算手段）１１０４は、巡回シフト後の参照信号に直交符号を乗算する（ブロック拡散する）。ここで、参照信号に用いるＯＣＣ（ブロック拡散符号番号）については、上位レイヤからＲＲＣシグナリングなどで通知しても良く、データシンボルのＣＳに予め関連付けられたＯＣＣを用いても良い。ブロック拡散部１１０４は、ブロック拡散後の信号をサブキャリアマッピング部１１０５に出力する。
【０１０７】
サブキャリアマッピング部１１０５は、チャネル選択制御部１１０１から通知された情報に基づいて、ブロック拡散後の信号をサブキャリアにマッピングする。また、サブキャリアマッピング部１１０５は、マッピングされた信号をチャネル多重部１２０２に出力する。
【０１０８】
ＳＲＳ処理部１３００は、ＳＲＳ信号（Sounding  RS）を生成するＳＲＳ信号生成部１３０１と、生成されたＳＲＳ信号をサブキャリアにマッピングするサブキャリアマッピング部１３０２とを有している。サブキャリアマッピング１３０２は、マッピングされた信号をチャネル多重部１２０２に出力する。
【０１０９】
チャネル多重部１２０２は、上りリンク共有チャネル処理部１０００又は上りＡＣＫ／ＮＡＣＫチャネル（ＰＵＣＣＨ）処理部からの信号と、ＳＲＳ信号処理部１３００からの参照信号を時間多重して、上り制御チャネル信号を含む送信信号とする。
【０１１０】
ＩＦＦＴ部１２０３は、チャネル多重された信号をＩＦＦＴして時間領域の信号に変換する。ＩＦＦＴ部１２０３は、ＩＦＦＴ後の信号をＣＰ付与部１２０４に出力する。ＣＰ付与部１２０４は、直交符号乗算後の信号にＣＰを付与する。そして、ＰＣＣの上りリンクのチャネルを用いて上り送信信号が無線通信装置に対して送信される。
【０１１１】
次に、図１６を参照して、上記図１５に示したユーザ端末と無線通信を行う無線基地局装置の機能構成について説明する。
【０１１２】
図１６に示す無線基地局装置は、送信部と、受信部とを備えている。送信部は、複数のＣＣ毎にＯＦＤＭ信号を生成するデータ情報生成部２４０１と、下りリンクの制御情報を生成する下りリンク制御情報生成部２４０２と、データ情報生成部２４０１からのデータ信号と下りリンク制御情報生成部２４０２からの制御信号を多重して、下り送信信号とするチャネル多重部２４０３と、ユーザ端末との送信に適用するトランスポートブロック数を決定するトランスポートブロック（ＴＢ）数決定部２５０１とを有している。
【０１１３】
下りリンク制御情報生成部２４０２においては、無線基地局装置で決定されたトランスポート数を下りリンク制御チャネルに含めて下りリンク制御チャネル信号とする。トランスポート数に関する情報は、トランスポートブロック（ＴＢ）数決定部２５０１から出力される。
【０１１４】
トランスポートブロック数決定部２５０１は、ユーザ端末から送られるランク・インディケータやユーザ端末の受信品質情報に基づいてユーザ端末との送信に適用するトランスポート数を決定する。トランスポートブロック数決定部２５０１は、決定した情報をチャネル選択データ検出部２１０１及び下りリンク制御情報生成部２４０２に出力する。
【０１１５】
受信部は、受信信号からＣＰを除去するＣＰ除去部２２０４と、受信信号を高速フーリエ変換（ＦＦＴ）するＦＦＴ部２２０３と、多重された信号（ＰＵＳＣＨ信号、ＰＵＣＣＨ信号、ＳＲＳ信号）を分離するチャネル分離部２２０２と、チャネル分離後の信号を処理する、上りリンク共有チャネル（ＰＵＳＣＨ）受信部２０００、上りＡＣＫ／ＮＡＣＫチャネル（ＰＵＣＣＨ）受信部２１００、ＳＲＳ信号受信部２３００を有している。
【０１１６】
上りリンク共有チャネル受信部２０００は、チャネル分離後の信号をデマッピングするサブキャリアデマッピング部２００５と、サブキャリアデマッピング後の信号に対してＩＤＦＴ(Inverse  Discrete  Fourier  Transform)するＩＤＦＴ部２００４と、ＩＤＦＴされたデータ信号、制御信号を分離する制御情報分離部２００３と、分離されたデータ信号、制御信号をそれぞれ復調するデータ復調部２００２、２００７と、データ復調後の信号をチャネル復号するチャネル復号部２００１、２００６とを有している。
【０１１７】
上りＡＣＫ／ＮＡＣＫチャネル（ＰＵＣＣＨ）受信部２１００は、チャネル分離後の信号をデマッピングするサブキャリアデマッピング部２１０４と、サブキャリアデマッピング後の信号に対してブロック拡散符号（ＯＣＣ）で逆拡散する逆ブロック拡散部２１０３と、逆拡散後に信号から巡回シフトを除去して対象とするユーザの信号を分離する巡回シフト分離部２１０２と、マッピングテーブルに基づいて無線リソース候補情報を制御するチャネル選択データ検出部２１０１とを有している。
【０１１８】
チャネル選択データ検出部２１０１は、マッピングテーブルに基づいて、再送応答信号の候補情報をサブキャリアデマッピング部２１０４、逆ブロック拡散部２１０３、巡回シフト分離部２１０２に通知するとともに、各ＣＣの再送応答情報を検出する。
【０１１９】
チャネル選択データ検出部２１０１が利用するマッピングテーブルは、ユーザ端末側で利用されるマッピングテーブルと共通であり、複数の無線リソースと位相変調のビット情報を用いてＰＣＣ及びＳＣＣの下りリンク共有チャネル信号に対する再送応答信号の組み合わせが規定されている。チャネル選択データ検出部２１０１は、トランスポートブロック数決定部２５０１で決定されたトランスポートブロック数に基づいて、マッピングテーブルの内容を特定することができる。
【０１２０】
制御情報送信チャネル選択部２２０１は、フィードバック制御情報である再送応答信号の送信に使用されたチャネルを検出し、上りリンク共有チャネル受信部２０００又は上りＡＣＫ／ＮＡＣＫチャネル（ＰＵＣＣＨ）受信部２１００からの出力の切り替えを制御する。再送応答信号がＰＵＳＣＨに含めて送信された場合には、上りリンク共有チャネル受信部２０００から出力された情報を再送応答信号として出力する。また、再送応答信号がＰＵＣＣＨで送信された場合、上りＡＣＫ／ＮＡＣＫチャネル（ＰＵＣＣＨ）受信部２１００から出力された情報を再送応答信号として出力する。
【０１２１】
ＳＲＳ信号受信部２３００は、チャネル分離後のＳＲＳ信号をデマッピングするサブキャリアデマッピング部２３０２と、サブキャリアデマッピング後のＳＲＳ信号の受信品質を測定するＳＲＳ受信品質測定部２３０１とを有している。
【０１２２】
本発明の範囲を逸脱しない限りにおいて、上記説明における処理部の数、処理手順については適宜変更して実施することが可能である。また、図に示される要素の各々は機能を示しており、各機能ブロックがハードウエアで実現されても良く、ソフトウエアで実現されてもよい。その他、本発明の範囲を逸脱しないで適宜変更して実施することが可能である。
【符号の説明】
【０１２３】
１０  移動通信システム
４０  コアネットワーク
５０  セル
１００  ユーザ端末
２００  無線基地局装置
１０００  上りリンク共有チャネル処理部
１００１  チャネル符号化部
１００２、１００８  データ変調部
１００３  時間多重部
１００４  ＤＦＴ部
１００５  サブキャリアマッピング部
１００６  制御情報ビット決定部
１００７  チャネル符号化部
１００８  データ変調部
１１００  上りＡＣＫ／ＮＡＣＫチャネル処理部
１１０１  チャネル選択制御部
１１０２  ＰＳＫデータ変調部
１１０３  巡回シフト部
１１０４  ブロック拡散部
１１０５  サブキャリアマッピング部
１２０１  制御情報送信チャネル選択部
１２０２  チャネル多重部
１２０３  ＩＦＦＴ部
１２０４  ＣＰ付与部
１３００  ＳＲＳ信号処理部
１３０１  ＳＲＳ信号生成部
１３０２  サブキャリアマッピング部
１４００  チャネル分離部
１４０１  データ情報復調部
１４０２  再送確認部
１４０３  下りリンク制御情報復調部
２０００  上りリンク共有チャネル受信部
２００１、２００６  チャネル復号部
２００２、２００７  データ復調部
２００３  制御情報分離部
２００４  ＩＤＦＴ部
２００５  サブキャリアデマッピング部
２１００  上りＡＣＫ／ＮＡＣＫチャネル受信部
２１０１  チャネル選択データ検出部
２１０２  巡回シフト分離部
２１０３  逆ブロック拡散部
２１０４  サブキャリアデマッピング部
２２０１  制御情報送信チャネル選択部
２２０２  チャネル分離部
２２０３  ＦＦＴ部
２２０４  ＣＰ除去部
２３００  ＳＲＳ信号受信部
２３０１  ＳＲＳ受信品質測定部
２３０２  サブキャリアデマッピング部
２４０１  データ情報生成部
２４０２  下りリンク制御情報生成部
２４０３  チャネル多重部
２５０１  トランスポートブロック数決定部
【図１】
0005490737.tif 000002
【図２】
0005490737.tif 000003
【図３】
0005490737.tif 000004
【図４】
0005490737.tif 000005
【図５】
0005490737.tif 000006
【図６】
0005490737.tif 000007
【図７】
0005490737.tif 000008
【図８】
0005490737.tif 000009
【図９】
0005490737.tif 000010
【図１０】
0005490737.tif 000011
【図１１】
0005490737.tif 000012
【図１２】
0005490737.tif 000013
【図１３】
0005490737.tif 000014
【図１４】
0005490737.tif 000015
【図１５】
0005490737.tif 000016
【図１６】
0005490737.tif 000017